(57)【特許請求の範囲】
【請求項１】
サッシの隅部に取付けられ、窓の開口部に対するサッシの前後方向、上下方向及び左右方向の位置決めを行うための位置決め具であって、
サッシの隅部に固定されるプレートと、このプレートにサッシの前後方向に間隔を置いて立設された一対の支持板と、一対の支持板に回転可能に架設されたネジ部と、ネジ部が貫通状に螺合され、ネジ部の回転に伴って前記前後方向に移動する移動部と、回転によりサッシの上下方向に移動するよう移動部に回転可能に取付けられたボルトと、回転によりサッシの左右方向に移動するようプレートに貫通状に螺合されたボルトとを備えることを特徴とするサッシの位置決め具。
【請求項２】
前記移動部は平板であり、前記移動部に取付けられたボルトは、前記平板に間隔を置いて取付けられた２個のナットに通されていることを特徴とする請求項１記載のサッシの位置決め具。
【請求項３】
前記移動部は平面視コ字状の部材であり、前記移動部に取付けられたボルトは、前記平面視コ字状の部材の一対の平行部分に貫通状に螺合されていることを特徴とする請求項１記載のサッシの位置決め具。
【請求項４】
前記移動部はナットであり、前記移動部に取付けられたボルトは、前記ナットが取付けられたスリーブ状のナットに通されていることを特徴とする請求項１記載のサッシの位置決め具。
【請求項５】
窓の開口部に対するサッシの前後方向、上下方向及び左右方向の位置決めを行う方法であって、
サッシの隅部に固定されるプレートと、このプレートにサッシの前後方向に間隔を置いて立設された一対の支持板と、一対の支持板に回転可能に架設されたネジ部と、ネジ部が貫通状に螺合され、ネジ部の回転に伴って前記前後方向に移動する移動部と、回転によりサッシの上下方向に移動するよう移動部に回転可能に取付けられたボルトと、回転によりサッシの左右方向に移動するようプレートに貫通状に螺合されたボルトとを備える位置決め具をサッシの隅部に取付けた上で、まず２本のボルトを回して各ボルトの頭部を開口部に軽く当接させてサッシを仮固定し、次いでネジ部を回すことにより、サッシを移動部と当該移動部に係るボルトに対して相対的に前後方向に移動させ、サッシの前後方向の位置を設定し、続いて２本のボルトを更に回して各ボルトの頭部を開口部に強く当接させることにより、サッシの上下方向と左右方向の位置を設定することを特徴とするサッシの位置決め方法。
【発明の詳細な説明】
【０００１】
【発明の属する技術分野】
この発明は、窓の開口部にサッシを取付けるときにサッシの位置決めを行うのに使用するサッシの位置決め具、並びにその位置決め具を用いたサッシの位置決め方法に関する。
【０００２】
【従来の技術】
家屋等では窓の開口部にアルミサッシを取付けたり、木製の窓枠をアルミサッシに交換する場合がある。例えば窓の開口部にアルミサッシを取付ける場合、開口部のサイズに合致するアルミサッシを用意するが、アルミサッシを開口部に取付ける際に、開口部に対するアルミサッシの前後方向、上下方向、左右方向の位置を微調整するために、例えば木製の楔を開口部とアルミサッシとの間に打ち込んだりしている。
【０００３】
【発明が解決しようとする課題】
しかしながら、木製の楔でアルミサッシの位置決めを行うには、熟練技術が必要であり、三方向に微妙な位置を調整するのは手間が掛かり、誰もが簡単に行うことはできない。
【０００４】
この発明は、そのような問題点に着目してなされたものであって、窓の開口部に対するサッシの位置決めを簡単に行うことができる手段を提供することを目的としている。
【０００５】
【課題を解決するための手段】
前記目的は、本発明のサッシの位置決め具により達成される。すなわち、請求項１記載のサッシの位置決め具は、サッシの隅部に取付けられ、窓の開口部に対するサッシの前後方向、上下方向及び左右方向の位置決めを行うための位置決め具であって、サッシの隅部に固定されるプレートと、このプレートにサッシの前後方向に間隔を置いて立設された一対の支持板と、一対の支持板に回転可能に架設されたネジ部と、ネジ部が貫通状に螺合され、ネジ部の回転に伴って前記前後方向に移動する移動部と、回転によりサッシの上下方向に移動するよう移動部に回転可能に取付けられたボルトと、回転によりサッシの左右方向に移動するようプレートに貫通状に螺合されたボルトとを備えることを特徴とする。
【０００６】
この位置決め具は、プレートをサッシの隅部に固定することで、サッシに取付けられる。取付状態では、移動部はネジ部の回転によりサッシの前後方向に移動可能であり、移動部に取付けられたボルトは、移動部と一体に前後方向に移動可能であると共に、その回転によりサッシの上下方向に移動可能である。また、プレートに貫通状に設けられたボルトは、その回転によりサッシの左右方向に移動可能である。
【０００７】
この位置決め具を用いたサッシの位置決めは、請求項５記載の位置決め方法のように行う。すなわち、請求項５記載のサッシの位置決め方法は、窓の開口部に対するサッシの前後方向、上下方向及び左右方向の位置決めを行う方法であって、サッシの隅部に固定されるプレートと、このプレートにサッシの前後方向に間隔を置いて立設された一対の支持板と、一対の支持板に回転可能に架設されたネジ部と、ネジ部が貫通状に螺合され、ネジ部の回転に伴って前記前後方向に移動する移動部と、回転によりサッシの上下方向に移動するよう移動部に回転可能に取付けられたボルトと、回転によりサッシの左右方向に移動するようプレートに貫通状に螺合されたボルトとを備える位置決め具をサッシの隅部に取付けた上で、まず２本のボルトを回して各ボルトの頭部を開口部に軽く当接させてサッシを仮固定し、次いでネジ部を回すことにより、サッシを移動部と当該移動部に係るボルトに対して相対的に前後方向に移動させ、サッシの前後方向の位置を設定し、続いて２本のボルトを更に回して各ボルトの頭部を開口部に強く当接させることにより、サッシの上下方向と左右方向の位置を設定することを特徴とする。
【０００８】
この位置決め方法において、サッシを仮固定した上で、ネジ部を工具（例えばドライバ）で回せば、移動部に取付けられたボルトは開口部に当たって移動部と共に動かないので、サッシがその移動部及びボルトに対して相対的に前後方向に移動する。従って、最初にサッシを仮固定してから、ネジ部を回してサッシの前後方向の位置を設定し、次に２本のボルトを回してサッシの上下方向と左右方向の位置を設定することで、サッシの三方向の位置決めが完了する。
【０００９】
本発明の位置決め具を使用すれば、木製の楔等を開口部とサッシとの間に打ち込んで、三方向の位置決めを微調整する熟練技術は必要なく、開口部に対するサッシの位置決めを簡単に行うことができる。
【００１０】
なお、本発明において、サッシとは、一般に用いられるアルミサッシだけでなく、スチールサッシ等の金属製のものを広く含んでいる。
【００１１】
【発明の実施の形態】
以下、実施の形態により、この発明を更に詳細に説明する。但し、以下では、サッシとしてアルミサッシを取り上げる。
【００１２】
一実施形態に係るサッシの位置決め具の平面図を図１に、図１の矢視Ａから見た側面図を図２に、図１の矢視Ｂから見た側面図を図３に示す。
【００１３】
この位置決め具１は、アルミサッシの隅部に固定される矩形状のプレート１０と、このプレート１０にアルミサッシの前後方向に間隔を置いて立設された一対の四角形状の支持板１２，１３と、一対の支持板１２，１３に回転可能に架設されたネジ部２０と、ネジ部２０が貫通状に螺合され、ネジ部２０の回転に伴って前記前後方向に移動する長方形状の平板（移動部）２２と、回転によりアルミサッシの上下方向に移動するよう平板２２に回転可能に取付けられたボルト３０と、回転によりアルミサッシの左右方向に移動するようプレート１０に貫通状に螺合されたボルト４０とを備える。
【００１４】
一対の支持板１２，１３は、プレート１０に例えば溶接により接合されており、この支持板１２，１３にネジ部２０が回転可能に架設されている。ネジ部２０の支持板１２，１３の内側部分には、それぞれワッシャ１４，１５が例えば溶接により取付けられており、ワッシャ１４，１５はネジ部２０と一体に回転する。支持板１２の表側に現れるネジ部２０の頭部２０ａには一筋の溝が形成されており、ここではマイナスドライバによりネジ部２０を回転させることができる。勿論、ネジ部２０の頭部２０ａは、プラスドライバに対応する十字溝を有していてもよい。
【００１５】
平板２２はネジ部２０が貫通状に螺合されているだけであり、ネジ部２０の回転に伴い前後方向に移動する。ボルト３０は、ここでは例えば平板２２に間隔を置いて溶接により固定された２個のナット３２，３３に螺合されることにより、平板２２に回転可能に取付けられている。従って、ボルト３０は、平板２２と一体に前後方向に移動すると共に、その回転により上下方向にも移動する。ボルト４０は、単にプレート１０に貫通状に螺合されているだけであり、その回転により左右方向に移動する。
【００１６】
このように構成した位置決め具１は、図４に示すように、アルミサッシ５０の隅部（側部の上下）に取付けられる。アルミサッシ５０を開口部の中央に正確に位置決めするには、４箇所に位置決め具１を設けるのが好ましい。
【００１７】
図４において、アルミサッシ５０の左上の隅部に位置決め具１を取付けた状態を図５〜図７に示す。図５〜図７はそれぞれ図１〜図３に対応している。
【００１８】
位置決め具１のプレート１０は、アルミサッシ５０の側部に沿う部材５１の上側に例えば溶接により固定される。アルミサッシ５０の側部に沿う部材５１と上部に沿う部材５２は、図面には示されていないが、例えば２本のネジにより一体に連結される。また、ボルト４０は部材５２に沿って延びるが、ボルト４０を貫通状に螺合させるボルト穴はプレート１０だけでなく、部材５１の端部にも予め形成されており、ボルト４０はプレート１０と部材５１の端部を貫通する（図７参照）。更に、位置決め具１は、支持板１２がアルミサッシ５０の内側（家屋内部）を向くように、すなわちネジ部２０の頭部２０ａを内側から回せるように取付けられる。
【００１９】
位置決め具１を取付けたアルミサッシ５０の窓の開口部に対する位置決めは、次のように行う。まず、開口部にアルミサッシ５０を嵌め込んだ後、ボルト３０，４０を手や工具で回して、ボルト３０，４０の頭部をそれぞれ開口部の上部及び側部（例えば受けとしてのヘーベル、鉄骨、軽点）に軽く当接させ、アルミサッシ５０の上下方向と左右方向の位置を仮決めする。その上で、アルミサッシ５０の内側からマイナスドライバでネジ部２０の頭部２０ａを回す（図６参照）。このとき、ボルト３０はアルミサッシ５０の上部に当接して一応不動であるので、ネジ部２０が回ると、ボルト３０と当該ボルト３０が取付けられた平板２２は不動のまま、アルミサッシ５０が平板２２及びボルト３０に対して相対的に前後方向に移動する。従って、ネジ部２０を回すことで、アルミサッシ５０の前後方向の位置を設定できる。
【００２０】
アルミサッシ５０の前後方向の位置を設定した後は、ボルト３０，４０を更に工具で回して、ボルト３０，４０の頭部を開口部の上部及び側部に強く当接させることで、アルミサッシ５０の上下方向及び左右方向の位置が設定される。
【００２１】
このような調整を、アルミサッシ５０の隅部４箇所（図４参照）で行えば、開口部に対するアルミサッシ５０の前後方向、上下方向及び左右方向の位置決めを行うことができる。
【００２２】
このように、この位置決め具１を使用すれば、ネジ部２０、ボルト３０，４０をそれぞれ工具で回すことにより、アルミサッシ５０の位置を微調整できるので、熟練工でなくてもアルミサッシ５０の位置決めを簡単に行うことができる。
【００２３】
別実施形態に係るサッシの位置決め具の平面図を図８に示す。図８は、図４において、アルミサッシ５０の左下の隅部に位置決め具１を取付けた状態を示す。この位置決め具１では、移動部として平面視コ字状の部材２５が用いられ、移動部に取付けられたボルト３０は、平面視コ字状の部材２５の一対の平行部分２５ａに貫通状に螺合されている。また、ボルト３０，４０の頭部は平坦ではなく、それぞれ円錐状の先鋭部３０ａ，４０ａを有する。
【００２４】
更に、別実施形態に係るサッシの位置決め具の平面図を図９に示す。図９も、図４において、アルミサッシ５０の左下の隅部に位置決め具１を取付けた状態を示す。この位置決め具１では、移動部としてナット３５が用いられ、移動部に取付けられたボルト３０は、ナット３５が溶接により取付けられたスリーブ状のナット２７に通されている。ここでも、ボルト３０，４０の頭部には、それぞれ円錐状の先鋭部３０ａ，４０ａが設けられている。
【００２５】
図８及び図９に示す位置決め具１の使用方法は、前記と同じであるが、ボルト３０，４０の頭部に先鋭部３０ａ，４０ａがあるので、ボルト３０，４０の頭部が開口部に係合し易くなり、アルミサッシ５０の上下方向及び左右方向の位置固定力が増す。
【００２６】
なお、上記実施形態に示した位置決め具１はいずれも単なる一例であり、種々の変更が可能である。例えば、図１の実施形態では、ボルト３０を平板２２に取付けるのに２個のナット３２，３３を用いたが、内部にネジ溝を形成した１個のスリーブ状の部材であってもよい。
【００２７】
また、アルミサッシ５０の前後方向への移動範囲は、アルミサッシ５０の幅、すなわちプレート１０上における支持板１２，１３の間隔（ネジ部２０の長さ）等により異なるが、適宜変更すればよい。
【００２８】
【発明の効果】
以上説明したように、本発明のサッシの位置決め具及び位置決め方法によれば、木製の楔等を窓の開口部とサッシとの間に打ち込んで、三方向の位置決めを微調整する熟練技術は必要なく、熟練工でなくても開口部に対するサッシの位置決めを簡単に行うことができる。
【図面の簡単な説明】
【図１】一実施形態に係るサッシの位置決め具の平面図である。
【図２】同位置決め具を図１の矢視Ａから見た側面図である。
【図３】同位置決め具を図１の矢視Ｂから見た側面図である。
【図４】アルミサッシに対する同位置決め具の取付位置を示す概略図である。
【図５】同位置決め具をアルミサッシの側部に取付けたときの図１に対応する図である。
【図６】同位置決め具をアルミサッシの側部に取付けたときの図２に対応する図である。
【図７】同位置決め具をアルミサッシの側部に取付けたときの図３に対応する図である。
【図８】別実施形態に係るサッシの位置決め具の平面図である。
【図９】更に別実施形態に係るサッシの位置決め具の平面図である。
【符号の説明】
１            位置決め具
１０          プレート
１２，１３    支持板
２０          ネジ部
２０ａ        ネジ部の頭部
２２          平板（移動部）
２５          平面視コ字状の部材（移動部）
２５ａ        平行部分
２７          スリーブ状のナット
３０，４０    ボルト
３２，３３    ナット
３５          ナット（移動部）
５０          アルミサッシ
５１          アルミサッシの側部部材
５２          アルミサッシの上部部材
【図１】
0003953866.tif 000002
【図２】
0003953866.tif 000003
【図３】
0003953866.tif 000004
【図４】
0003953866.tif 000005
【図５】
0003953866.tif 000006
【図６】
0003953866.tif 000007
【図７】
0003953866.tif 000008
【図８】
0003953866.tif 000009
【図９】
0003953866.tif 000010